(57)【要約】【課題】給湯端末に供給される温水の温度の変動を抑える。【解決手段】給湯装置では、貯湯タンクの中間流出部から流出した温水と給水源から給水される水とが第１混合弁において混合された後、第２混合弁において貯湯タンクの上部流出部から流出した温水と混合されて、給湯端末に供給される。給湯装置１の判断手段は、貯湯タンク内の温水の温度に基づいて、中間流出部から流出した温水が第１混合弁を通過するのを許可するか否かを判断する。給湯装置の制御手段は、給湯端末への給湯中に、判断手段において中間流出部から流出した温水の第１混合弁の通過を許可しないと判断された場合、中間流出部から流出した温水の第１混合弁の通過量を減少させるように第１混合弁を制御する。【選択図】図３
2011158160.tif 000002
【特許請求の範囲】
【請求項１】
温水を加熱する加熱手段と、
前記加熱手段で加熱された温水を貯留する貯湯タンクと、
前記貯湯タンクの上部から温水を流出する上部流出部と、
前記貯湯タンクの中間部から温水を流出する中間流出部と、
前記中間流出部から流出した温水と給水源から給水される水とを混合する第１混合弁と、
前記第１混合弁で混合された温水と前記上部流出部から流出した温水とを混合する第２混合弁と、
前記第２混合弁で混合された温水が供給される給湯端末と、
前記貯湯タンク内の温水の温度に基づいて、前記中間流出部から流出した温水が前記第１混合弁を通過するのを許可するか否かを判断する判断手段と、
前記第１混合弁及び前記第２混合弁を制御する制御手段とを備え、
前記制御手段は、前記給湯端末への温水供給中に、前記判断手段において、前記中間流出部から流出した温水の前記第１混合弁の通過を許可しないと判断された場合、前記中間流出部から流出した温水の前記第１混合弁の通過量を減少させるように前記第１混合弁を制御することを特徴とする給湯装置。
【請求項２】
前記判断手段は、前記中間流出部から流出する温水の温度が所定の上限温度以上である場合に、前記中間流出部から流出した温水の前記第１混合弁の通過を許可しないと判断することを特徴とする請求項１に記載の給湯装置。
【請求項３】
前記判断手段は、前記中間流出部から流出する温水の温度が所定の温度範囲外である場合に、前記中間流出部から流出した温水の前記第１混合弁の通過を許可しないと判断することを特徴とする請求項１に記載の給湯装置。
【請求項４】
前記制御手段は、前記給湯端末への温水供給の途中に、前記判断手段において前記中間流出部から流出した温水の前記第１混合弁の通過を許可しないと判断されて、前記制御手段によって前記第１混合弁が前記中間流出部から流出した温水の前記第１混合弁の通過量を減少させるように制御された後、その温水供給中に、前記判断手段において前記中間流出部から流出した温水の前記第１混合弁の通過を許可すると判断されても、その温水供給が継続されている間は、前記第１混合弁の開度を維持することを特徴とする請求項１〜３の何れかに記載の給湯装置。
【請求項５】
温水を加熱する加熱手段と、
前記加熱手段で加熱された温水を貯留する貯湯タンクと、
前記貯湯タンクの上部から温水を流出する上部流出部と、
前記貯湯タンクの中間部から温水を流出する中間流出部と、
前記中間流出部から流出した温水と給水源から給水される水とを混合する第１混合弁と、
前記第１混合弁で混合された温水と前記上部流出部から流出した温水とを混合する第２混合弁と、
前記第２混合弁で混合された温水が供給される給湯端末と、
前記貯湯タンク内の温水の温度に基づいて、前記中間流出部から流出した温水が前記第１混合弁を通過するのを許可するか否かを判断する判断手段と、
前記第１混合弁及び前記第２混合弁を制御する制御手段とを備え、
前記制御手段は、前記判断手段において、前記中間流出部から流出した温水の前記第１混合弁の通過を許可しないと判断された場合、前記第１混合弁を前記給水源側全開状態とすることを特徴とする給湯装置。
【請求項６】
前記判断手段は、前記中間流出部から流出する温水の温度が所定の上限温度以上である場合に、前記中間流出部から流出した温水の前記第１混合弁の通過を許可しないと判断することを特徴とする請求項５に記載の給湯装置。
【請求項７】
前記判断手段は、前記中間流出部から流出する温水の温度が所定の下限温度以下である場合に、前記中間流出部から流出した温水の前記第１混合弁の通過を許可しないと判断することを特徴とする請求項５又は６に記載の給湯装置。
【請求項８】
前記判断手段は、前記中間流出部から流出する温水の温度が所定の温度範囲外である場合に、前記中間流出部から流出した温水の前記第１混合弁の通過を許可しないと判断することを特徴とする請求項５に記載の給湯装置。
【請求項９】
前記制御手段は、前記第１混合弁が前記中間流出部から流出した温水を通過させる状態で前記供給端末への温水供給が行われているときに、前記中間流出部から流出する温水の温度が前記下限温度以下、又は、前記所定の温度範囲よりも低い温度となり、前記判断手段において前記中間流出部から流出した温水の前記第１混合弁の通過を許可しないと判断されても、その温水供給が継続されている間は、前記第１混合弁を前記給水源側全開状態に切り換えないことを特徴とする請求項７又は８に記載の給湯装置。
【請求項１０】
前記制御手段は、前記給湯端末への温水供給の開始前又は供給途中に、前記判断手段において前記中間流出部から流出した温水の前記第１混合弁の通過を許可しないと判断されて、前記制御手段によって前記第１混合弁が前記給水源側全開状態とされた後、その温水供給中に、前記判断手段において前記中間流出部から流出した温水の前記第１混合弁の通過を許可すると判断されても、その温水供給が継続されている間は、前記第１混合弁の開度を維持することを特徴とする請求項５〜９の何れかに記載の給湯装置。
【発明の詳細な説明】
【技術分野】
【０００１】
本発明は、貯湯タンクの中間部から流出する温水を給湯に使用する給湯装置に関する。
【背景技術】
【０００２】
従来から、給湯装置として、貯湯タンクの上部から取り出した温水と給水源から供給された水とを混合して給湯端末に供給するものがある。このような給湯装置においては、通常は、貯湯タンク内の温水の温度は、上部が高温で、下部が低温で、中間部がその中間の温度となっている。
【０００３】
また、この給湯装置では、熱効率を向上させるために、貯湯タンクの中間部から温水を取り出して、給湯に利用する給湯装置が提案されている。具体的には、貯湯タンクの中間部から取り出した温水と給水源から供給された水とを第１混合弁で混合した後、この混合された温水と貯湯タンクの上部から取り出した温水とを第２混合弁において、給湯設定温度になるように混合して給湯端末に供給する給湯装置がある（例えば、特許文献１参照）。
【先行技術文献】
【特許文献】
【０００４】
【特許文献１】特開２００６−２２６５９３号公報
【発明の概要】
【発明が解決しようとする課題】
【０００５】
上述した給湯装置では、第２混合弁は、第１混合弁で混合された温水と、貯湯タンクの上部から取り出した温水とを混合した温水の温度が給湯設定温度になるように開度が調整される。ここで、第２混合弁の開度が変化しなくても、第１混合弁により混合された温水の温度が変化すれば、給湯端末に供給される温水の温度が変動することになる。
【０００６】
そして、この給湯装置では、第１混合弁の開度を変化させていなくても、貯湯タンク内の温水の温度分布の変化等に起因して、貯湯タンクの中間部から流出した温水の温度が上昇して、第１混合弁により混合された温水の温度が急激に上昇することがある。このように、この給湯装置では、貯湯タンク内の温水の温度分布の変化等に起因して、給湯端末に供給される温水の温度が大きく変動するという問題がある。
【０００７】
そこで、この発明は、給湯端末に供給される温水の温度の変動を抑えることができる給湯装置を提供することを目的とする。
【課題を解決するための手段】
【０００８】
上記課題を解決するために、第１の発明に係る給湯装置は、温水を加熱する加熱手段と、前記加熱手段で加熱された温水を貯留する貯湯タンクと、前記貯湯タンクの上部から温水を流出する上部流出部と、前記貯湯タンクの中間部から温水を流出する中間流出部と、前記中間流出部から流出した温水と給水源から給水される水とを混合する第１混合弁と、前記第１混合弁で混合された温水と前記上部流出部から流出した温水とを混合する第２混合弁と、前記第２混合弁で混合された温水が供給される給湯端末と、前記貯湯タンク内の温水の温度に基づいて、前記中間流出部から流出した温水が前記第１混合弁を通過するのを許可するか否かを判断する判断手段と、前記第１混合弁及び前記第２混合弁を制御する制御手段とを備え、前記制御手段は、前記給湯端末への温水供給中に、前記判断手段において、前記中間流出部から流出した温水の前記第１混合弁の通過を許可しないと判断された場合、前記中間流出部から流出した温水の前記第１混合弁の通過量を減少させるように前記第１混合弁を制御することを特徴とする。
【０００９】
この給湯装置では、判断手段が、貯湯タンク内の温水の温度に基づいて、中間流出部から流出した温水の第１混合弁の通過を許可しないと判断した場合、第１混合弁は、中間流出部から流出した温水の第１混合弁の通過量を減少させるように切り換えられる。したがって、給湯端末に供給される温水の温度が変動するのを抑制することができる。
【００１０】
第２の発明に係る給湯装置は、第１の発明に係る給湯装置において、前記判断手段は、前記中間流出部から流出する温水の温度が所定の上限温度以上である場合に、前記中間流出部から流出した温水の前記第１混合弁の通過を許可しないと判断することを特徴とする。
【００１１】
この給湯装置では、中間流出部から流出する温水の温度が所定の上限温度以上である場合に、第１混合弁が、中間流出部から流出した温水の第１混合弁の通過量を減少させるように切り換えられることにより、給湯端末から急激に高温の温水が出湯するのを防止できる。
【００１２】
第３の発明に係る給湯装置は、第１の発明に係る給湯装置において、前記判断手段は、前記中間流出部から流出する温水の温度が所定の温度範囲外である場合に、前記中間流出部から流出した温水の前記第１混合弁の通過を許可しないと判断することを特徴とする。
【００１３】
この給湯装置では、中間流出部から流出する温水の温度が所定の温度範囲外の温度の場合に、第１混合弁が、中間流出部から流出した温水の第１混合弁の通過量を減少させるように切り換えられることにより、第１混合弁を通過する温水の温度が一定となる。そのため、第２混合弁により混合された温水の温度が変動するのを抑制することができる。さらに、中間流出部から流出する温水の温度が所定の温度範囲よりも高温又は低温の場合に、給湯端末から急激に高温又は低温の温水が出湯するのを防止できる。
【００１４】
第４の発明に係る給湯装置は、第１〜第３の何れかの発明に係る給湯装置において、前記制御手段は、前記給湯端末への温水供給の途中に、前記判断手段において前記中間流出部から流出した温水の前記第１混合弁の通過を許可しないと判断されて、前記制御手段によって前記第１混合弁が前記中間流出部から流出した温水の前記第１混合弁の通過量を減少させるように制御された後、その温水供給中に、前記判断手段において前記中間流出部から流出した温水の前記第１混合弁の通過を許可すると判断されても、その温水供給が継続されている間は、前記第１混合弁の開度を維持することを特徴とする。
【００１５】
この給湯装置では、給湯中に判断手段による判断が変化しても、第１混合弁の開度を維持することにより、給湯途中に第１混合弁の開度を変化させた場合に生じる温度変動を防止することができる。
【００１６】
第５の発明に係る給湯装置は、温水を加熱する加熱手段と、前記加熱手段で加熱された温水を貯留する貯湯タンクと、前記貯湯タンクの上部から温水を流出する上部流出部と、前記貯湯タンクの中間部から温水を流出する中間流出部と、前記中間流出部から流出した温水と給水源から給水される水とを混合する第１混合弁と、前記第１混合弁で混合された温水と前記上部流出部から流出した温水とを混合する第２混合弁と、前記第２混合弁で混合された温水が供給される給湯端末と、前記貯湯タンク内の温水の温度に基づいて、前記中間流出部から流出した温水が前記第１混合弁を通過するのを許可するか否かを判断する判断手段と、前記第１混合弁及び前記第２混合弁を制御する制御手段とを備え、前記制御手段は、前記判断手段において、前記中間流出部から流出した温水の前記第１混合弁の通過を許可しないと判断された場合、前記第１混合弁を前記給水源側全開状態とすることを特徴とする。
【００１７】
この給湯装置では、判断手段が、貯湯タンク内の温水の温度に基づいて、中間流出部から流出した温水の第１混合弁の通過を許可しないと判断した場合、第１混合弁は、給水源側全開状態に切り換えられる。したがって、給湯端末に供給される温水の温度が変動するのを抑制することができる。
【００１８】
第６の発明に係る給湯装置は、第５の発明に係る給湯装置において、前記判断手段は、前記中間流出部から流出する温水の温度が所定の上限温度以上である場合に、前記中間流出部から流出した温水の前記第１混合弁の通過を許可しないと判断することを特徴とする。
【００１９】
この給湯装置では、中間流出部から流出する温水の温度が所定の上限温度以上である場合に、第１混合弁が、給水源側全開状態に切り換えられることにより、給湯端末から急激に高温の温水が出湯するのを防止できる。
【００２０】
第７の発明に係る給湯装置は、第５又は第６の発明に係る給湯装置において、前記判断手段は、前記中間流出部から流出する温水の温度が所定の下限温度以下である場合に、前記中間流出部から流出した温水の前記第１混合弁の通過を許可しないと判断することを特徴とする。
【００２１】
この給湯装置では、中間流出部から流出する温水の温度が所定の下限温度以下である場合に、第１混合弁が、給水源側全開状態に切り換えられることにより、第１混合弁を通過する温水の温度が一定となる。そのため、第２混合弁により混合された温水の温度が変動するのを抑制することができる。
【００２２】
第８の発明に係る給湯装置は、第５の発明に係る給湯装置において、前記判断手段は、前記中間流出部から流出する温水の温度が所定の温度範囲外である場合に、前記中間流出部から流出した温水の前記第１混合弁の通過を許可しないと判断することを特徴とする。
【００２３】
この給湯装置では、中間流出部から流出する温水の温度が所定の温度範囲外の温度の場合に、第１混合弁が、給水源側全開状態に切り換えられることにより、第１混合弁を通過する温水の温度が一定となる。そのため、第２混合弁により混合された温水の温度が変動するのを抑制することができる。さらに、中間流出部から流出する温水の温度が所定の温度範囲よりも高温又は低温の場合に、給湯端末から急激に高温又は低温の温水が出湯するのを防止できる。
【００２４】
第９の発明に係る給湯装置は、第７又は第８の発明に係る給湯装置において、前記制御手段は、前記第１混合弁が前記中間流出部から流出した温水を通過させる状態で前記供給端末への温水供給が行われているときに、前記中間流出部から流出する温水の温度が前記下限温度以下、又は、前記所定の温度範囲よりも低い温度となり、前記判断手段において前記中間流出部から流出した温水の前記第１混合弁の通過を許可しないと判断されても、その温水供給が継続されている間は、前記第１混合弁を前記給水源側全開状態に切り換えないことを特徴とする。
【００２５】
この給湯装置では、給湯中に中間流出部から流出する温水の温度が下限温度以下、又は、所定の温度範囲よりも低い温度となって判断手段による判断が変化しても、第１混合弁の開度を給水源側全開状態に切り替えないことにより、給湯途中に第１混合弁を給水源側全開状態に切り換えた場合に生じる温度変動を防止することができる。
【００２６】
第１０の発明に係る給湯装置は、第５〜第９の何れかの発明に係る給湯装置において、前記制御手段は、前記給湯端末への温水供給の開始前又は供給途中に、前記判断手段において前記中間流出部から流出した温水の前記第１混合弁の通過を許可しないと判断されて、前記制御手段によって前記第１混合弁が前記給水源側全開状態とされた後、その温水供給中に、前記判断手段において前記中間流出部から流出した温水の前記第１混合弁の通過を許可すると判断されても、その温水供給が継続されている間は、前記第１混合弁の開度を維持することを特徴とする。
【００２７】
この給湯装置では、給湯中に判断手段による判断が変化しても、第１混合弁の開度を維持することにより、給湯途中に第１混合弁の開度を変化させた場合に生じる温度変動を防止することができる。
【発明の効果】
【００２８】
以上の説明に述べたように、本発明によれば、以下の効果が得られる。
【００２９】
第１の発明では、判断手段が、貯湯タンク内の温水の温度に基づいて、中間流出部から流出した温水の第１混合弁の通過を許可しないと判断した場合、第１混合弁は、中間流出部から流出した温水の第１混合弁の通過量を減少させるように切り換えられる。したがって、給湯端末に供給される温水の温度が変動するのを抑制することができる。
【００３０】
第２の発明では、中間流出部から流出する温水の温度が所定の上限温度以上である場合に、第１混合弁が、中間流出部から流出した温水の第１混合弁の通過量を減少させるように切り換えられることにより、給湯端末から急激に高温の温水が出湯するのを防止できる。
【００３１】
第３の発明では、中間流出部から流出する温水の温度が所定の温度範囲外の温度の場合に、第１混合弁が、中間流出部から流出した温水の第１混合弁の通過量を減少させるように切り換えられることにより、第１混合弁を通過する温水の温度が一定となる。そのため、第２混合弁により混合された温水の温度が変動するのを抑制することができる。さらに、中間流出部から流出する温水の温度が所定の温度範囲よりも高温又は低温の場合に、給湯端末から急激に高温又は低温の温水が出湯するのを防止できる。
【００３２】
第４の発明では、給湯中に判断手段による判断が変化しても、第１混合弁の開度を維持することにより、給湯途中に第１混合弁の開度を変化させた場合に生じる温度変動を防止することができる。
【００３３】
第５の発明では、判断手段が、貯湯タンク内の温水の温度に基づいて、中間流出部から流出した温水の第１混合弁の通過を許可しないと判断した場合、第１混合弁は、給水源側全開状態に切り換えられる。したがって、給湯端末に供給される温水の温度が変動するのを抑制することができる。
【００３４】
第６の発明では、中間流出部から流出する温水の温度が所定の上限温度以上である場合に、第１混合弁が、給水源側全開状態に切り換えられることにより、給湯端末から急激に高温の温水が出湯するのを防止できる。
【００３５】
第７の発明では、この給湯装置では、中間流出部から流出する温水の温度が所定の下限温度以下である場合に、第１混合弁が、給水源側全開状態に切り換えられることにより、第１混合弁を通過する温水の温度が一定となる。そのため、第２混合弁により混合された温水の温度が変動するのを抑制することができる。
【００３６】
第８の発明では、中間流出部から流出する温水の温度が所定の温度範囲外の温度の場合に、第１混合弁が、給水源側全開状態に切り換えられることにより、第１混合弁を通過する温水の温度が一定となる。そのため、第２混合弁により混合された温水の温度が変動するのを抑制することができる。さらに、中間流出部から流出する温水の温度が所定の温度範囲よりも高温又は低温の場合に、給湯端末から急激に高温又は低温の温水が出湯するのを防止できる。
【００３７】
第９の発明では、給湯中に中間流出部から流出する温水の温度が下限温度以下、又は、所定の温度範囲よりも低い温度となって判断手段による判断が変化しても、第１混合弁の開度を給水源側全開状態に切り替えないことにより、給湯途中に第１混合弁を給水源側全開状態に切り換えた場合に生じる温度変動を防止することができる。
【００３８】
第１０の発明では、給湯中に判断手段による判断が変化しても、第１混合弁の開度を維持することにより、給湯途中に第１混合弁の開度を変化させた場合に生じる温度変動を防止することができる。
【図面の簡単な説明】
【００３９】
【図１】本発明の実施形態に係る給湯装置の配管系統図である。
【図２】給湯装置のブロック図である。
【図３】第１混合弁制御部（制御手段）の処理手順を示すフローチャートである。
【図４】給湯開始前に中間流出部から流出した温水が第１混合弁を通過するのを許可すると判断された場合の、給湯運転時の処理手順を示すフローチャートである。
【図５】継ぎ手部材の斜視図であって、サーミスタを取り付ける前の状態を示す図である。
【図６】継ぎ手部材を示す図であり、（ａ）は上面図、（ｂ）は正面図、（ｃ）は側面図、（ｄ）は背面図である。
【図７】図６（ａ）のVII−VII線に沿う断面図である。
【図８】図６（ｂ）のVIII−VIII線に沿う断面図である。
【図９】（ａ）は図５のクイックファスナ式のサーミスタ取付部にサーミスタが取り付けられた状態を示す図であり、（ｂ）は図５のネジ式のサーミスタ取付部にサーミスタが取り付けられた状態を示す図である。
【発明を実施するための形態】
【００４０】
以下、本発明に係る給湯装置１の実施の形態について説明する。
【００４１】
＜給湯装置の構成＞
図１に示すように、給湯装置１は、カランＡとシャワーＢと風呂Ｃ（以下、カランＡとシャワーＢと風呂Ｃとを総称して適宜「給湯端末」とする）に温水を供給する装置であって、ヒートポンプユニット（加熱手段）２と、貯湯タンク２０を有する貯湯ユニット３と、リモコン５（図２参照）と、制御部４とを備えている。
【００４２】
［ヒートポンプユニット］
ヒートポンプユニット２は、貯湯タンク２０内の温水を加熱するためのものである。ヒートポンプユニット２は、冷媒回路１０を有しており、この冷媒回路１０は、圧縮機１１と、水熱交換器１２と、電動膨張弁１３と、空気熱交換器１４と、これらを環状に接続する冷媒配管１５とを備えている。また、冷媒回路１０は、水熱交換器１２から出る高温高圧の冷媒と、空気熱交換器１４から出る冷温低圧の冷媒との間で熱交換を行うためのガス熱交換器１７を備えている。
【００４３】
［貯湯ユニット］
貯湯ユニット３は、貯湯タンク２０と、沸上循環回路３０と、給湯・追焚回路４０とを備えている。
【００４４】
（貯湯タンク）
貯湯タンク２０の上部には、上部流入部２０ａ、上部流出部２０ｂ、２０ｃが設けられており、貯湯タンク２０の中間部には、中間流出部２０ｄが設けられており、貯湯タンク２０の下部には、下部流出部２０ｅ、下部流入部２０ｆ、２０ｇ、２０ｈが設けられている。
【００４５】
貯湯タンク２０の上部流入部２０ａ、下部流出部２０ｅ、下部流入部２０ｆは、沸上循環回路３０と接続されており、貯湯タンク２０の下部流出部２０ｅから取り出された温水が、ヒートポンプユニット２により加熱された後、貯湯タンク２０の上部流入部２０ａ又は下部流入部２０ｆに戻されるようになっている。また、貯湯タンク２０の上部流出部２０ｂ、２０ｃ、中間流出部２０ｄ、下部流入部２０ｇ、２０ｈは、給湯・追焚回路４０と接続されている。給湯端末への給湯又は風呂Ｃの追い焚きを行う場合、貯湯タンク２０の上部流出部２０ｂ又は上部流出部２０ｃから高温の温水が流出すると共に、下部流入部２０ｇ又は下部流入部２０ｈから貯湯タンク２０内に低温の水が流入するようになっている。そのため、ヒートポンプユニット２により貯湯タンク２０内の温水がすべて加熱されて高温となっている場合を除けば、貯湯タンク２０内の温水の温度は、上部が高温、下部が低温、中間部がその中間温度となっている。
【００４６】
貯湯タンク２０の外側面には、６つのタンクサーミスタ２１ａ〜２１ｆが、上下方向に並んで取り付けられている。タンクサーミスタ２１ａ〜２１ｆは、貯湯タンク２０内の温水の温度を検知するためのものである。なお、タンクサーミスタ２１ｄは、貯湯タンク２０の後述する中間流出配管４２が接続されている位置と同じ高さに取り付けられている。また、タンクサーミスタ２１ａ〜２１ｆにより検知された温度は、貯湯タンク２０内に高温の温水がどれだけ残っているかを検知（残湯量検知）するために用いられる。
【００４７】
（沸上循環回路）
沸上循環回路３０は、貯湯タンク２０内の下部の温水を取り出して、ヒートポンプユニット２の水熱交換器１２において加熱してから、貯湯タンク２０内の上部に戻すための回路である。沸上循環回路３０は、配管３１〜３５と、沸上三方弁３６と、排水用三方弁３８とを備えている。
【００４８】
配管３１は、貯湯タンク２０の下部流出部２０ｅと排水用三方弁３８とを接続する配管である。排水用三方弁３８には、配管３１に加えて、水熱交換器１２が設けられた後述する配管３２と、排水口Ｄ１に向かう配管３５とが接続されている。排水用三方弁３８は、通常時は貯湯タンク２０の下部流出部２０ｅから流出した温水（水の場合を含む）を、ヒートポンプユニット２に向けて流す状態に切り換えられており、貯湯タンク２０と給湯・追焚回路４０内の配管内の水抜き作業を行うときには、貯湯タンク２０の下部流出部２０ｅから流出した水を、排水口Ｄ１に流す状態に切り換えられる。
【００４９】
配管３２は、排水用三方弁３８と沸上三方弁３６とを上記した水熱交換器１２を介して接続する配管である。配管３２の途中には、沸上ポンプ３７が配置されている。沸上ポンプ３７は、貯湯タンク２０内の温水（水の場合を含む）を、下部流出部２０ｅ、配管３１、及び排水用三方便３８を介して配管３２に引き込むためのものである。また、配管３２の水熱交換器１２よりも上流側の位置に、入水サーミスタ１８が配置されており、配管３２の水熱交換器１２よりも下流側の位置に、出湯サーミスタ１９が配置されている。
【００５０】
配管３３は、沸上三方弁３６と貯湯タンク２０の上部流入部２０ａとを接続する配管である。配管３４は、沸上三方弁３６と貯湯タンク２０の下部流入部２０ｆとを接続する配管である。る。沸上三方弁３６は、入水サーミスタ１８により検知された温度に応じて、制御部４によって出口側が配管３３と配管３４のいずれかに切り換えられる。
【００５１】
（給湯・追焚回路）
給湯・追焚回路４０は、貯湯タンク２０内の温水と給水源Ｓから供給された水とを混合して給湯端末（カランＡ、シャワーＢ、風呂Ｃ）に供給すると共に、貯湯タンク２０内の温水を熱源として風呂Ｃの追い焚きを行うための回路である。また、給湯・追焚回路４０は、貯湯タンク２０内の温水を給湯端末に供給する際、同時に、貯湯タンク２０内への給水を行うように構成されている。
【００５２】
給湯・追焚回路４０は、給水配管４１と、中間流出配管４２と、接続配管４３と、上部流出配管４４と、給湯配管４５と、熱交循環配管４６と、接続配管４７と、湯はり配管４８と、風呂循環配管４９と、第１混合弁５１と、第２混合弁５２と、湯はり混合弁５３とを備えている。
【００５３】
給水配管４１は、給水源Ｓと、第１混合弁５１及び湯はり混合弁５３とを接続する配管である。給水配管４１の第１混合弁５１の近傍部には、逆止弁６５が配置されている。
【００５４】
また、給水配管４１の分岐点よりも給水源Ｓ側には、給水分岐管４１ａが接続されている。この給水分岐管４１ａは、給水配管４１内の水を、貯湯タンク２０の下部流入部２０ｇに供給するための配管である。また、給水分岐管４１ａには、水温サーミスタ６３と、逆止弁６４とが配置されている。水温サーミスタ６３は、給水源Ｓから供給される水の温度を検知するためのものである。
【００５５】
また、給水配管４１の給水分岐管４１ａが接続された位置よりも給水源Ｓ側には、逆止弁６１と、減圧弁６２とが給水源Ｓに近い順に並んで配置されている。また、給水配管４１の逆止弁６１と減圧弁６２との間の位置には、水抜き栓６６が設けられた分岐管４１ｂが接続されている。水抜き栓６６は、通常時は閉じられており、貯湯タンク２０や配管内の水抜きを行うときに開放される。分岐管４１ｂは、水抜き時に、配管内の水を排水口Ｄ２に排出するためのものである。
【００５６】
中間流出配管４２は、貯湯タンク２０の中間流出部２０ｄから流出した温水を、第１混合弁５１に供給するための配管である。第１混合弁５１は、貯湯タンク２０の中間流出部２０ｄから流出する温水と、給水源Ｓから供給される水とを混合するためのものである。
【００５７】
接続配管４３は、第１混合弁５１で混合された温水を、第２混合弁５２に供給するための配管である。接続配管４３の途中には、第１混合弁５１によって混合された温水の温度を検知するための中間混合サーミスタ７１が配置されている。また、接続配管４３の第２混合弁５２の近傍部には、逆止弁７２が配置されている。
【００５８】
上部流出配管４４は、貯湯タンク２０の上部流出部２０ｂから流出した温水を、第２混合弁５２に供給するための配管である。上部流出配管４４の第２混合弁５２の近傍部には、逆止弁７３が配置されている。第２混合弁５２は、貯湯タンク２０の上部流出部２０ｂから流出する温水と、第１混合弁５１で混合された温水とを混合するためのものである。
【００５９】
給湯配管４５は、第２混合弁５２で混合された温水を、カランＡとシャワーＢに供給するための配管である。給湯配管４５の途中には、給湯流量センサ７４と、給湯サーミスタ７５とが配置されている。給湯流量センサ７４は、給湯配管４５を流れる温水の単位時間当たりの流量を検知するためのものである。給湯サーミスタ７５は、第２混合弁５２により混合されてカランＡ及びシャワーＢに供給される温水の温度を検知するためのものである。
【００６０】
熱交循環配管４６は、貯湯タンク２０の上部流出部２０ｃから流出した温水を、貯湯タンク２０の下部流出部２０ｅに供給するための配管である。熱交循環配管４６の途中には、追焚熱交換器８１と、熱交循環ポンプ８２とが配置されている。熱交循環ポンプ８２は、貯湯タンク２０の上部流出部２０ｃから熱交循環配管４６に高温の温水を引き込むためのものである。追焚熱交換器８１は、熱交循環配管４６を流れる高温の温水と、後述する風呂循環配管４９を流れる水とを熱交換させるためのものである。
【００６１】
また、熱交循環配管４６の追焚熱交換器８１よりも上部流出部２０ｃ側の位置には、湯はり混合弁５３に接続された接続配管４７が接続されている。湯はり混合弁５３は、貯湯タンク２０の上部流出部２０ｃから流出する温水と、給水源Ｓから供給される水とを混合するためのものである。
【００６２】
熱交循環配管４６の接続配管４７が接続された箇所よりも上部流出部２０ｃ側の位置には、逆止弁８３と、逆止弁８４とを並列に接続した並列回路が配置されている。また、熱交循環配管４６には、この並列回路を迂回するようにバイパス配管８５が接続されている。また、この並列回路の接続配管４７側には、逃がし弁８６が接続されている。逃がし弁８６は、通常時に貯湯タンク２０内及び配管内のエアを外部に排出する役割を有する。また、逃がし弁８６は、貯湯タンク２０内及び配管内の水抜き作業を行うときに、配管内にエアを供給する役割も有する。
【００６３】
風呂循環配管４９は、その両端が風呂Ｃに接続されており、その途中には、上述した追焚熱交換器８１と、風呂循環ポンプ９６と、風呂サーミスタ９７と、水位センサ９８とが配置されている。風呂循環ポンプ９６の作動時の風呂循環配管４９内の温水の流れ方向に関して、風呂サーミスタ９７及び水位センサ９８は、追焚熱交換器８１の上流側に配置されている。水位センサ９８は、風呂Ｃの水位を検知するためのものである。
【００６４】
湯はり配管４８は、湯はり混合弁５３と、風呂循環配管４９の途中部（詳細には、追焚熱交換器８１の下流側部分）とを接続する配管である。湯はり配管４８の途中には、湯はり電磁弁９１と、逆止弁９２と、湯はり流量センサ９３と、逆止弁９４と、湯はりサーミスタ９５とが配置されている。湯はりサーミスタ９５は、湯はり混合弁５３によって混合されて風呂Ｃに供給される温水の温度を検知するためのものである。湯はり流量センサ９３は、風呂Ｃに供給される温水の単位時間当たりの流量を検知するためのものである。湯はり電磁弁９１は、風呂Ｃの湯はりを行う場合に開弁状態に切り換えられる。なお、湯はり配管４８と風呂循環配管４９との接続部には、後述する継ぎ手部材１４０が用いられている。この継ぎ手部材１４０に、湯はりサーミスタ９５が取り付けられている。
【００６５】
［リモコン］
リモコン５には、操作部（図示省略）と表示部（図示省略）とが設けられている。リモコン５の操作部は、カランＡ及びシャワーＢにおける給湯温度をユーザーが設定するための給湯温度設定ボタンと、風呂Ｃの湯はりと追い焚きの温度を設定するための風呂温度設定ボタンと、風呂Ｃの湯はりを開始するための湯はりボタンと、風呂Ｃの水の追い焚きを開始するための追焚ボタンと、各種設定変更を行うためのメニューボタン等を有している。リモコン５の表示部には、給湯設定温度や、風呂設定温度や、貯湯タンク２０の残湯量などが表示される。
【００６６】
給湯温度設定ボタンによって設定された給湯温度を、給湯設定温度とする。給湯温度設定ボタンにより設定可能な給湯設定温度には上限と下限（例えば３７℃）が設けられている。また、風呂温度設定ボタンにより設定された温度を、風呂設定温度とする。
【００６７】
［制御部］
制御部４は、マイコンやメモリ等で構成されている。図２に示すように、制御部４は、リモコン５、サーミスタ１８、１９、２１ａ〜２１ｆ、６３、７１、７５、９７、９５、流量センサ７４、９３、水位センサ９８、ポンプ３７、８２、９６、沸上三方弁３６、混合弁５１〜５３、湯はり電磁弁９１、圧縮機１１等に有線又は無線により通信可能に接続されている。なお、図２では、制御部４に接続される上記構成部品の一部を省略して表示している。制御部４は、リモコン５やサーミスタや流量センサ等から送られる信号に基づいて、ポンプや混合弁等を制御する。制御部４は、給湯判断部１００と、第１混合弁５１を制御する第１混合弁制御部１０１と、第２混合弁５２を制御する第２混合弁制御部１０２と、中間混合判断部（判断手段）１０３とを有している。なお、第１混合弁制御部１０１及び第２混合弁制御部１０２が、本発明の制御手段に相当する。
【００６８】
（給湯判断部）
給湯判断部１００は、給湯流量センサ７４により検知された流量に基づいて、カランＡ及びシャワーＢの両方又は一方に温水供給が行われているか否かを判断する。
【００６９】
（中間混合判断部）
中間混合判断部１０３は、タンクサーミスタ２１ｄにより検知された温度Ｔ２に基づいて、貯湯タンク２０の中間流出部２０ｄから流出した温水が、第１混合弁５１を通過するのを許可するか否かを判断する。以下の説明において、中間流出部２０ｄから流出した温水が第１混合弁５１の通過を許可すると判断することを、湯とりを行うと判断するといい、通過を許可しないと判断することを湯とりを行わないと判断するという。
【００７０】
具体的な判断方法は、図３のフローチャートに示すように、タンクサーミスタ２１ｄにより検知された温度Ｔ２が、所定の下限温度Ｔｍｉｎよりも高く、且つ、所定の上限温度Ｔｍａｘよりも低い場合には（ステップＳ１０：Ｙｅｓ）、湯とりを行うと判断する（ステップＳ１１）。一方、タンクサーミスタ２１ｄにより検知された温度Ｔ２が、所定の下限温度Ｔｍｉｎ以下、又は、所定の上限温度Ｔｍａｘ以上の場合には（ステップＳ１０：Ｎｏ）、湯とりを行わないと判断する（ステップＳ１２）。
【００７１】
下限温度Ｔｍｉｎは、例えば２５℃であって給水源Ｓから供給される水の温度と同程度か、それよりも若干高い温度に設定されている。上限温度Ｔｍａｘは、例えば５０℃であって、貯湯タンク２０内の上部の高温（例えば６０〜９０℃）の温水の温度と同程度か、それよりも低い温度に設定されている。下限温度Ｔｍｉｎ及び上限温度Ｔｍａｘは、一定であってもよいが、リモコン５の操作によって変更できるようになっていてもよい。また、水温サーミスタ６３で検知される給水源Ｓから供給される水の温度等に応じて変更されるようになっていてもよい。
【００７２】
（第２混合弁制御部）
第２混弁制御部１０２は、カランＡ又はシャワーＢへの給湯時に、第２混合弁５２により混合された温水の温度が給湯設定温度となるように第２混合弁５２の開度を制御する。具体的には、中間混合サーミスタ７１により検知された温度Ｔ３とタンクサーミスタ２１ａにより検知された温度Ｔ４とに基づくフィードフォワード制御と、給湯サーミスタ７５により検知された温度Ｔ５に基づくフィードバック制御とによって、第２混合弁５２により混合された温水の温度が給湯設定温度となるように、第２混合弁５２の開度を制御する。
【００７３】
第２混合弁制御部１０２は、カランＡ又はシャワーＢへの給湯が開始されて、給湯判断部１００において、給湯が行われていると判断された場合に、第２混合弁５２の制御を開始する。
【００７４】
また、第２混合弁制御部１０２は、カランＡ及びシャワーＢへの給湯が終了して、給湯判断部１００において、給湯が行われていないと判断された場合、第２混合弁５２の制御を停止し、給湯終了から、所定時間経過後に、第２混合弁５２の開度を初期化して、接続配管４３側全開状態とし、次の給湯時まで維持する。これにより、次の給湯を開始したときに、カランＡ又はシャワーＢから高温の温水が出湯するのを防止している。
【００７５】
また、第２混合弁制御部１０２は、給湯サーミスタ７５により検知された温度Ｔ５が、給湯設定温度近くの給湯設定温度範囲（例えば給湯設定温度±０．５℃）内の温度である場合（即ち、給湯設定温度との温度差が所定の範囲内である場合）に、第２混合弁５２により混合された温水の温度が給湯設定温度になったものとみなす。
【００７６】
（第１混合弁制御部）
第１混合弁制御部１０１は、中間混合判断部１０３において、湯とりを行うと判断された場合には、第１混合弁制御部１０１は、カランＡ又はシャワーＢへの給湯時に、第１混合弁５１により混合された温水の温度が目標温度となるように第１混合弁５１の開度を制御する（以下、この制御を目標温度制御という）。第１混合弁制御部１０１は、上記目標温度制御を、給湯が開始されて、第２混合弁５２の制御が開始された後、第２混合弁制御部１０２において、第２混合弁５２により混合された温水が給湯設定温度になったとみなされてから開始する。
【００７７】
また、第１混合弁制御部１０１は、中間混合判断部１０３において、湯とりを行わないと判断された場合には、給湯時か否かに関わらず、第１混合弁５１を給水源Ｓ側全開状態（給水配管４１側全開状態）として、この開度状態を維持する。
【００７８】
但し、湯とりを行うと判断されたことにより第１混合弁５１が給水源Ｓ側全開状態に維持されていない状態で、カランＡ又はシャワーＢにおいて給湯が行われている途中に、温度Ｔ２が下限温度Ｔｍｉｎ以下に低下して、湯とりを行わないと判断された場合には、第１混合弁制御部１０１は、湯とりを行わないと判断されていても、給水源Ｓ側全開状態に切り換える制御を行わない。
【００７９】
また、第１混合弁制御部１０１は、中間混合判断部１０３において、湯とりを行わないと判断された後で、湯とりを行うと判断された場合には、第１混合弁５１の給水源Ｓ側全開状態の維持を解除する。
【００８０】
但し、湯とりを行わないと判断されたことにより第１混合弁５１が給水源Ｓ側全開状態に維持された状態で、カランＡ又はシャワーＢへの給湯が行われている途中に、温度Ｔ２が、Ｔｍｉｎ＜Ｔ２＜Ｔｍａｘの条件を満たす温度となり、湯とりを行うと判断された場合には、第１混合弁制御部１０１は、湯とりを行うと判断されていても、給水源Ｓ側全開状態を解除せずに維持する。
【００８１】
また、第１混合弁制御部１０１は、カランＡ及びシャワーＢへの給湯が終了して、給湯判断部１００において、給湯が行われていないと判断された場合、第１混合弁５１の開度を給湯終了時の開度で停止させて、次の給湯時まで維持する。但し、給湯停止後から、次の給湯開始までに、中間混合判断部１０３において、湯とりを行わないと判断された場合には、第１混合弁制御部１０１は、第１混合弁５１を給水源Ｓ側全開状態切り換える。
【００８２】
また、第１混合弁制御部１０１は、上記目標温度制御を行う場合、水温サーミスタ６３により検知された温度Ｔ１とタンクサーミスタ２１ｄにより検知された温度Ｔ２とに基づくフィードフォワード制御と、中間混合サーミスタ７１により検知された温度Ｔ３に基づくフィードバック制御とによって、第１混合弁５１により混合された温水の温度が目標温度となるように、第１混合弁５１の開度を制御する。
【００８３】
また、第１混合弁制御部１０１は、中間混合サーミスタ７１により検知された温度Ｔ３が、目標温度近くの目標温度範囲（例えば目標温度±２℃）内の温度である場合（即ち、目標温度との温度差が所定の範囲内である場合）に、第１混合弁５１により混合された温水の温度が目標温度になったものとみなす。
【００８４】
目標温度は、給湯設定温度によらず一定の温度（例えば３２℃）となっている。上述したように、リモコン５によって設定可能な給湯設定温度には下限（例えば３７℃）が設けられており、目標温度は、設定可能な給湯設定温度の最低温度よりも低い温度に予め設定されている。従って、カランＡ又はシャワーＢへの給湯には、貯湯タンク２０の上部流出部２０ｂから流出する高温の温水が必ず使用される。
【００８５】
＜給湯装置の動作＞
次に、給湯装置１の動作について説明する。
給湯装置１の動作としては、貯湯タンク２０に貯湯される温水を加熱する沸上運転と、カランＡ又はシャワーＢへの給湯を行う給湯運転と、風呂Ｃへの給湯（湯はり）を行う湯はり運転と、風呂Ｃの追い焚きを行う追焚運転とがある。これらは同時に行うことも可能である。
【００８６】
［沸上運転］
沸上運転は、電気料金の安価な深夜時間帯に自動的に開始される。また、昼間時間帯であっても、貯湯タンク２０内の残湯量が所定値未満となった場合には、沸上運転が開始される。時刻又は残湯量による沸上運転開始条件が成立すると、制御部４は、圧縮機１１と沸上ポンプ３７とを駆動させる。すると、貯湯タンク２０内の温水が、下部流出部２０ｅから配管３１内に流出して、排水用三方弁３８を通って配管３２内に流れ込む。この温水は、水熱交換器１２において冷媒と熱交換されて加熱される。水熱交換器１２により加熱された温水の温度が十分に高温の場合（入水サーミスタ１８により検知された温度が所定温度以上の場合）には、制御部４により沸上三方弁３６の出口側が配管３３に切り換えられて、この温水は上部流入部２０ａから貯湯タンク２０内に流入する。この動作を継続して行うことにより、貯湯タンク２０内に高温の温水が貯湯される。一方、圧縮機１１の駆動を開始した直後など、水熱交換器１２により熱交換された温水の温度が十分に高温でない場合（入水サーミスタ１８により検知された温度が所定温度未満の場合）には、沸上三方弁３６の出口側が配管３４に切り換えられて、この温水は下部流入部２０ｆから貯湯タンク２０内に流入する。
【００８７】
［給湯運転］
給湯運転は、カランＡ及びシャワーＢのレバー等を操作することによって開始又は終了する。以下、給湯運転時の水の流れについて説明する。
【００８８】
カランＡ及びシャワーＢのレバー等を流水状態に切り換えると、給水源Ｓの給水圧力により下部流入部２０ｇから貯湯タンク２０内に水が流入すると共に、貯湯タンク２０の上部流出部２０ｂ及び中間流出部２０ｄから温水が流出する。中間流出部２０ｄから中間流出配管４２に流出した温水は、第１混合弁５１において、給水源Ｓから供給された水と混合された後、第２混合弁５２において、貯湯タンク２０の上部流出部２０ｂから上部流出配管４４に流出した高温の温水と混合されて、カランＡ又はシャワーＢに供給される。
【００８９】
なお、第１混合弁５１が給水源Ｓ側全開状態となっている場合には、給水源Ｓから供給された水と、貯湯タンク２０の上部流出部２０ｂから流出した高温の温水とが、第２混合弁５２において混合されて、カランＡ又はシャワーＢに供給される。また、第１混合弁５１が中間流出配管４２側全開状態となっている場合には、貯湯タンク２０の中間流出部２０ｄから流出した温水と、貯湯タンク２０の上部流出部２０ｂから流出した高温の温水とが、第２混合弁５２において混合されて、カランＡ又はシャワーＢに供給される。
【００９０】
次に、給湯運転時の制御部４の動作について説明する。
【００９１】
（給湯開始前に湯とりを行わないと判断されていない場合）
まず、給湯開始前に、中間混合判断部１０３において、湯とりを行わないと判断されていない場合について、図４のフローチャートを用いて説明する。
【００９２】
カランＡ又はシャワーＢのレバー等を流水状態に切り換えることにより給湯が開始されて、給湯判断部１００において、給湯が行われていると判断されると、第２混合弁制御部１０２は、第２混合弁５２の制御を開始する（ステップＳ１）。具体的には、第２混合弁５２で混合された温水の温度が、リモコン５により設定された給湯設定温度となるように、第２混合弁５２の混合比率が調整される。なお、給湯前の時点では、第１混合弁５１は、前回の給湯終了時の開度状態又は給水源Ｓ側全開状態となっており、第２混合弁５２は、初期状態である接続配管４３側全開状態又は前回の給湯終了時の開度状態となっている。
【００９３】
第２混合弁制御部１０２によって第２混合弁５２の開度が制御されることにより、給湯サーミスタ７５により検知される温度Ｔ５が給湯設定温度に近づいていく。そして、給湯サーミスタ７５により検知された温度Ｔ５が、給湯設定温度範囲内の温度になり（ステップＳ２：Ｙｅｓ）、第２混合弁制御部１０２において、第２混合弁５２により混合された温水の温度が給湯設定温度になったとみなされると、第１混合弁制御部１０１は、第１混合弁５１の目標温度制御を開始する（ステップＳ３）。具体的には、第１混合弁５１で混合された温水の温度が目標温度となるように、第１混合弁５１の混合比率が調整される。
【００９４】
第１混合弁５１の混合比率が調整されて、第１混合弁５１により混合された温水の温度である温度Ｔ２が変化すると、それに応じて、第２混合弁５２の混合比率も調整される。温度Ｔ２が目標温度範囲内の温度になると、第１混合弁５１の開度が維持されて、温度Ｔ２が安定する。その後、この温度Ｔ２に基づいて調整される第２混合弁５２の開度も安定し、第２混合弁５２により混合された温水の温度である温度Ｔ５も安定する。
【００９５】
カランＡ及びシャワーＢのレバー等を止水状態に切り換えて給湯を終了し、給湯判断部１００において、給湯が行われていないと判断されると、第１混合弁制御部１０１及び第２混合弁制御部１０２は、第１混合弁５１及び第２混合弁５２の制御をそれぞれ停止する。第１混合弁５１は、給湯終了時の開度が、次の給湯時まで維持される。また、第２混合弁５２は、給湯終了から所定時間が経過してから、初期化（接続配管４３側全開状態に切換）されて、その開度が次の給湯時まで維持される。
【００９６】
なお、給湯と同時に沸上運転を行っている場合、給湯中に、タンクサーミスタ２１ｄにより検知された温度Ｔ２が上限温度Ｔｍａｘよりも高くなって、中間混合判断部１０３において、湯とりを行わないと判断される場合がある。この場合、第１混合弁５１は、給水源Ｓ側全開状態に切り換えられ、目標温度制御は行われない。
【００９７】
また、給湯又は風呂Ｃへの湯はりによって貯湯タンク２０の残湯量が減少することにより、給湯中に、タンクサーミスタ２１ｄにより検知された温度Ｔ２が下限温度Ｔｍｉｎよりも低くなり、中間混合判断部１０３において、湯とりを行わないと判断される場合がある。この場合には、湯とりを行うと判断されているものの、第１混合弁５１は、給水源Ｓ側全開状態に切り換えられない。
【００９８】
（給湯開始前に湯とりを行わないと判断されている場合）
次に、給湯開始直前に、中間混合判断部１０３において、湯とりを行わないと判断されている場合について説明する。
【００９９】
カランＡ又はシャワーＢのレバー等を流水状態に切り換えることにより給湯が開始されて、給湯判断部１００において、給湯が行われていると判断されると、第２混合弁制御部１０２は、第２混合弁５２の制御を開始する。具体的には、第２混合弁５２で混合された温水の温度が、リモコン５により設定された給湯設定温度となるように、第２混合弁５２の混合比率が調整される。なお、給湯前の時点では、第１混合弁５１は、給水源Ｓ側全開状態で維持されており、第２混合弁５２は、初期状態である接続配管４３側全開状態又は前回の給湯終了時の開度状態となっている。
【０１００】
カランＡ及びシャワーＢのレバー等を止水状態に切り換えて給湯を終了し、給湯判断部１００において、給湯が行われていないと判断されると、第２混合弁制御部１０２は、第２混合弁５２の制御を停止し、給湯終了から所定時間が経過してから、第２混合弁５２の開度を初期化（接続配管４３側全開状態に切換）する。
【０１０１】
なお、給湯前に、タンクサーミスタ２１ｄにより検知された温度Ｔ２が下限温度Ｔｍｉｎ以下であった場合、給湯と同時に沸上運転を行っていると、給湯中に、温度Ｔ２がＴｍｉｎよりも高くなる場合がある。また、給湯前に、温度Ｔ２が上限温度Ｔｍａｘ以上であった場合、給湯又は風呂Ｃへの湯はりによって貯湯タンク２０の残湯量が減少して、給湯中に、温度Ｔ２がＴｍａｘよりも低くなる場合がある。このような場合、中間混合判断部１０３において、中間流出配管４２の温水の第１混合弁５１の通過を許可すると判断されるものの、第１混合弁制御部１０１は、第１混合弁５１を給水源Ｓ側全開状態で維持する。
【０１０２】
従って、給湯開始前に湯とりを行わないと判断されている場合には、給湯中の判断の内容に関わらず、第１混合弁５１は給水源Ｓ側全開状態で維持される。
【０１０３】
なお、給湯前に湯とりを行うと判断されている場合であって、給湯中に、温度Ｔ２がＴｍａｘ以上となり、第１混合弁５１が給水源Ｓ側全開状態に切り換えられた後で、温度Ｔ２がＴｍａｘ未満に低下して、湯とりを行うと判断された場合にも、上述した場合と同様に、第１混合弁５１は給水源Ｓ側全開状態で維持される。
【０１０４】
［湯はり運転］
湯はり運転は、リモコン５の湯はりボタンが押下されることにより開始される。リモコン５からの湯はり開始信号を受けた制御部４は、湯はり電磁弁９１を開弁状態に切り換える。すると、給水源Ｓの給水圧力により下部流入部２０ｇから貯湯タンク２０内に水が流入すると同時に、貯湯タンク２０の上部流出部２０ｃから熱交循環配管４６及び接続配管４７に高温の温水が流出する。この温水は、湯はり混合弁５３において、給水源Ｓから供給された水と混合された後、湯はり配管４８及び風呂循環配管４９を経由して、風呂Ｃに供給される。このとき、湯はり混合弁５３により混合された温水が、リモコン５により設定された風呂設定温度となるように、湯はり混合弁５３の開度は、制御部４によって制御される。その後、湯はり流量センサ９３の検知結果を基にして算出される風呂Ｃに供給された全水量が所定値に達したときに、湯はり運転は終了する。
【０１０５】
［追焚運転］
追焚運転は、リモコン５の追焚ボタンが押下されることにより開始される。リモコン５からの追焚開始信号を受信した制御部４は、熱交循環ポンプ８２と風呂循環ポンプ９６とを駆動する。すると、風呂Ｃから風呂循環配管４９に流出した温水と、貯湯タンク２０の上部流出部２０ｃから熱交循環配管４６に流出した高温の温水とが、追焚熱交換器８１で熱交換される。風呂循環配管４９を流れる温水は、熱交換により加熱されて風呂Ｃに流入する。熱交循環配管４６を流れる温水は、熱交換により温度が低下した後、下部流入部２０ｈから貯湯タンク２０内に流入する。その後、風呂サーミスタ９７で検知される温度が、リモコン５で設定された風呂設定温度となったときに、追焚運転は終了する。
【０１０６】
＜本実施形態の給湯装置の特徴＞
本実施形態の給湯装置１には、以下のような特徴がある。
【０１０７】
本実施形態の給湯装置１では、温度Ｔ２が上限温度Ｔｍａｘ以上又は下限温度Ｔｍｉｎ以下の場合、中間混合判断部１０３において湯とりを行わないと判断されて、第１混合弁５１は給水源Ｓ側全開状態に切り換えられる。したがって、カランＡ及びシャワーＢに供給される温水の温度Ｔ５が変動するのを抑制することができる。
【０１０８】
また、温度Ｔ２が上限温度Ｔｍａｘ以上の場合に、第１混合弁５１が給水源Ｓ側全開状態に切り換えられることにより、カランＡ又はシャワーＢから急激に高温の温水が出湯するのを防止できる。
【０１０９】
また、温度Ｔ２が下限温度Ｔｍｉｎ以下の場合、第１混合弁５１が給水源Ｓ側全開状態に切り換えられることにより、第１混合弁５１を通過する温水の温度Ｔ３が一定となる。そのため、第２混合弁５２により混合された温水の温度Ｔ５が変動するのを抑制することができる。
【０１１０】
また、上述したように、第１混合弁５１が中間流出部２０ｄから流出した温水を通過させる状態でカランＡ及びシャワーＢへの温水供給が行われているときに、温度Ｔ２が下限温度Ｔｍｉｎ以下となり、中間混合判断部１０３において湯とりを行わないと判断されても、第１混合弁制御部１０１は、その温水供給が継続されている間は、第１混合弁５１を給水源Ｓ側全開状態に切り換えない。
このように、給湯中に中間混合判断部１０１による判断が変化しても、第１混合弁５１の開度を維持することにより、給湯途中に第１混合弁５１の開度を変化させた場合に生じる温度変動を防止することができる。
【０１１１】
また、上述したように、カランＡ及びシャワーＢへの温水供給の開始前又は供給途中に、中間混合判断部１０３において湯とりを行うと判断されて、第１混合弁５１が給水源Ｓ側全開状態とされた後、その温水供給中に、中間混合判断部１０３において湯とりを行うと判断されても、第１混合弁制御部１０１は、その温水供給が継続されている間は、第１混合弁５１の開度を維持する。
このように、給湯中に中間流出部２０ｄから流出する温水の温度が下限温度Ｔｍｉｎ以下となって中間混合判断部１０１による判断が変化しても、第１混合弁５１の開度を給水源Ｓ側全開状態に切り替えないことにより、給湯途中に第１混合弁５１を給水源Ｓ側全開状態に切り換えた場合に生じる温度変動を防止することができる。
【０１１２】
以上、本発明の実施形態について説明したが、本発明の具体的な構成は、上記実施形態に限定されるものでないと考えられるべきである。本発明の範囲は、上記実施形態の説明だけではなく特許請求の範囲によって示され、さらに特許請求の範囲と均等の意味および範囲内でのすべての変更が含まれる。
【０１１３】
例えば、上記実施形態では、中間混合判断部１０３は、温度Ｔ２が上限温度Ｔｍａｘ以上又は下限温度Ｔｍｉｎ以下の場合に、湯とりを行わないと判断しているが、温度Ｔ２が上限温度Ｔｍａｘ以上の場合にのみ、湯とりを行わないと判断するようになっていもよい。逆に、温度Ｔ２が下限温度Ｔｍｉｎ以下の場合にのみ、湯とりを行わないと判断するようになっていもよい。
【０１１４】
また、上記実施形態では、中間混合判断部１０３において湯とりを行わないと判断された場合、第１混合弁制御部１０１は、第１混合弁５１を給水源Ｓ側全開状態に切り換えているが、これに限定されるものではない。例えば、第１混合弁５１の開度を、中間流出部２０ｄから流出した温水の第１混合弁５１の通過量が減少するように切り換えるようになっていてもよい。但し、この場合、第１混合弁制御部１０１は、カランＡ又はシャワーＢへの給湯中にのみ、第１混合弁５１の開度を、中間流出部２０ｄから流出した温水の第１混合弁５１の通過量が減少するように切り換えることが好ましい。また、上記実施形態のように、第１混合弁５１を給水源Ｓ側全開状態に切り換えた場合、本変更形態に比べて、カランＡ及びシャワーＢに供給される温水の温度が変動するのをより確実に抑制することができる。この点においては、上記実施形態の方が好ましい。
【０１１５】
以下、湯はり配管４８と風呂循環配管４９との接続部に用いられている継ぎ手部材１４０について説明する。継ぎ手部材１４０は、樹脂材料で形成されており、以下に説明する各部１４１〜１４６が一体に形成されている。図５及び図６に示すように、継ぎ手部材１４０は、第１筒状部１４１と、第２筒状部１４２と、接続部１４３と、第３筒状部１４４とで主に構成されている。第１及び第２筒状部１４１、１４２は互いに直交する方向にそれぞれ伸延しており、接続部１４３で接続されることで略Ｌ字の形状をなしている。第３筒状部１４４は、第２筒状部１４２の長手方向略中央部に接続されている。また、第３筒状部１４４は、第２筒状部１４２の長手方向と直交する方向に関して第１筒状部１４１とは反対側に配置されており、第１筒状部１４１の伸延方向と平行な方向に伸延している。
【０１１６】
第１筒状部１４１の接続部１４３に接続されている側とは反対側の端部を第１接続口１４１ｂとし、第２筒状部１４２の接続部１４３に接続されている側とは反対側の端部を第２接続口１４２ｂとし、第３筒状部１４４の第２筒状部１４２に接続されている側とは反対側の端部を第３接続口１４４ｂとする。継ぎ手部材１４０は、第１接続口１４１ｂが湯はり配管４８に接続され、第２接続口１４２ｂが風呂循環配管４９の追焚熱交換器８１側に接続され、第３接続口１４４ｂが風呂循環配管４９の風呂Ｃ側に接続されている。
【０１１７】
また、継ぎ手部材１４０は、給湯装置１に適用される際には、図５に示すように、第１筒状部１４１と第３筒状部１４４が上下に並び、第２筒状部１４２の伸延方向が略水平方向となるように配置される。
【０１１８】
継ぎ手部材１４０内には、図７に示すように、第１筒状部１４１、第２筒状部１４２、接続部１４３、及び第３筒状部１４４の内壁によってそれぞれ画定された第１孔部１４１ａ、第２孔部１４２ａ、角孔部１４３ａ、及び第３孔部１４４ａが形成されている。角孔部１４３ａは、第１孔部１４１ａの延長上であり且つ第２孔部１４２ａの延長上にある空間であり、第１孔部１４１ａと第２孔部１４２ａとを直角に交差しつつ連通させる。また、第３孔部１４４ａは第２孔部１４２ａに連通している。
【０１１９】
第１孔部１４１ａの径Ｌ１と第２孔部１４２ａの径Ｌ２とはほぼ同じである。また、第３孔部１４４ａの径Ｌ３は、第２孔部１４２ａの径Ｌ２よりも大きい。なお、本実施形態においては、第１筒状部１４１、第２筒状部１４２、第３筒状部１４４の厚みはほぼ同じである。従って、第１筒状部１４１の外径と第２筒状部１４２の外径とはほぼ同じであり、第３筒状部１４４の外径は、第２筒状部１４２の外径よりも大きい。一般に、金属製の配管をロウ付け等によって接続する場合には、接続する配管の外径が接続される配管の外径よりも小さくなければならない。本実施形態の継ぎ手部材１４０は樹脂製であるので、第２筒状部１４２に対して第２筒状部１４２の外径よりも大きな外径を有する第３筒状部１４４を接続することが可能となっている。
【０１２０】
また、図５に示すように、接続部１４３には、湯はりサーミスタ９５を取り付けるための２つの筒状のサーミスタ取付部１４５、１４６が設けられている。サーミスタ９５は、棒状であり、その長手方向略中央部に径の太いストッパ部９５ａが設けられている。サーミスタ取付部１４５は、クイックファスナ１５０によってサーミスタ９５を取り付けるためのものであり、サーミスタ取付部１４６は、ネジ１６０によってサーミスタ９５を取り付けるためのものである。サーミスタ９５は、２つのサーミスタ取付部１４５、１４６のいずれにも取付可能であって、いずれか一方に取り付けられている。２つのサーミスタ取付部１４５、１４６のうち使用されないものは、封止されている。なお、図５及び図９では、継ぎ手部材１４０の説明のために、２つのサーミスタ取付部１４５、１４６の両方にサーミスタ９５が取り付けられた状態を示している。
【０１２１】
サーミスタ取付部１４５は、接続部１４３における第２接続口１４２ｂと対向する部分から、第２筒状部１４２の伸延方向と平行な方向に突出するように設けられている。筒状のサーミスタ取付部１４５の内部空間は角孔部１４３ａに連通している。また、図７に示すように、サーミスタ取付部１４５内には段差部１４５ａが形成されており、段差部１４５ａを境に接続部１４３側の内径は、接続部１４３側とは反対側の内径よりも小さくなっている。さらに、サーミスタ取付部１４５の端部には、フランジ１４５ｂが形成されている。
【０１２２】
サーミスタ取付部１４５にサーミスタ９５を取り付ける際には、まずサーミスタ９５をサーミスタ取付部１４５内に挿入し、サーミスタ９５のストッパ部９５ａをサーミスタ取付部１４５内の段差部１４５ａに当接させる。そして、図９（ａ）に示すように、サーミスタ取付部１４５及びサーミスタ９５のサーミスタ取付部１４５の外に出ている部分に、クイックファスナ１５０に形成された略Ω形状の２つの嵌合部１５０ａ、１５０ｂをそれぞれ嵌合させる。すなわち、クイックファスナ１５０は、サーミスタ取付部１４５のフランジ１４５ｂを挟むように取り付けられる。
【０１２３】
サーミスタ取付部１４６は、接続部１４３から、第１筒状部１４１の伸延方向に平行な直線と第２筒状部１４２の伸延方向に平行な直線とを含む平面に直交する方向（図６（ｂ）における紙面奥側から手前側に向かう方向）に突出するように設けられている。図８に示すように、サーミスタ取付部１４６には、角孔部１４３ａに連通し且つサーミスタ９５が挿入される取付孔部１４６ａと、ネジ穴１４６ｂとが上下に並んで形成されている。また、取付孔部１４６ａを画定する壁には段差部１４６ｃが形成されている。従って、取付孔部１４６ａは、段差部１４６ｃを境に接続部１４３側の径が、接続部１４３側とは反対側の径よりも小さくなっている。
【０１２４】
サーミスタ取付部１４６にサーミスタ９５を取り付ける際には、まずサーミスタ９５を取付孔部１４６ａに挿入し、サーミスタ９５のストッパ部９５ａを段差部１４６ｃに当接させる。この状態で、サーミスタ９５における取付孔部１４６ａの外に出ている部分を、止め金１６１の孔１６１ａに挿通させる。このとき、ネジ穴１４６ｂは、止め金１６１に形成された下方に開放したＵ字形状の切欠１６１ｂの縁により囲まれる。そして、図９（ｂ）に示すように、ネジ１６０をネジ穴１４６ｂに螺合させる。
【０１２５】
このように、継ぎ手部材１４０は、異なる方法でサーミスタ９５を取り付けることのできる２つのサーミスタ取付部１４５、１４６を備えているため、汎用性が高い。また、２つのサーミスタ取付部１４５、１４６のうちいずれか一方が破損した場合には、もう一方を代わりに使用することができる。
【０１２６】
湯はり運転時には、湯はり配管４８から第１接続口１４１ｂを介して第１孔部１４１ａ内に温水が流入する。この温水は、角孔部１４３ａを通って第２孔部１４２ａへ流入した後、その一部は第２接続口１４２ｂを介して風呂循環配管４９の追焚熱交換器８１側に流入し、残りは第３孔部１４４ａを介して第３接続口１４４ｂに流れ込んで、風呂循環配管４９の風呂Ｃ側に流入する。角孔部１４３ａにおいては、角孔部１４３ａに流れ込んだ温水が接続部１４３の内壁にぶつかることによって乱流が生じる。従って、角孔部１４３ａにおいて温水は掻き混ぜられる。
【０１２７】
なお、角孔部１４３ａから第２孔部１４２ａへと流れ込んだ温水の流れは、直線状に進んで第２接続口１４２ｂに向かう流れが主流となる。従って、従来の金属性の第３孔部１４４ａの径Ｌ３が第２孔部１４２ａの径Ｌ２以下である場合には、第３孔部１４４ａへと流れ込む温水の流量を十分確保することができない。本実施形態においては、上述のように、第３孔部１４４ａの径Ｌ３が第２孔部１４２ａの径Ｌ２よりも大きいので、第３孔部１４４ａに流れ込む温水の流量を十分に確保することができる。
【０１２８】
また、サーミスタ取付部１４５又はサーミスタ取付部１４６に取り付けられたサーミスタ９５は、角孔部１４３ａを流れる温水の温度を検知することができる。上述のように、角孔部１４３ａにおいて温水は掻き混ぜられるので、第１孔部１４１ａを流れる温水の温度に斑がある場合でも、サーミスタ９５は正確な温水の温度を検知することができる。
【０１２９】
一方、追焚運転時には、風呂循環配管４９において追焚熱交換器８１を通過した温水が、第２接続口１４２ｂを介して第２孔部１４２ａ内に流れ込んだ後、第３孔部１４４ａを介して風呂循環配管４９の風呂Ｃ側に流入する。このとき、湯はり配管４８に設けられた湯はり電磁弁９１が閉じられているため、第２孔部１４２ａに流入した温水は、第１孔部１４１ａには流れない。
【産業上の利用可能性】
【０１３０】
本発明を利用すれば、給湯端末に供給される温水の温度の変動を抑えることのできる給湯装置を得ることができる。
【符号の説明】
【０１３１】
１  給湯装置
２  ヒートポンプユニット（加熱手段）
３  貯湯ユニット
４  制御部
２０  貯湯タンク
２０ａ、２０ｂ、２０ｃ  上部流出部
２０ｄ  中間流出部
２０ｅ  下部流出部
４１  給水配管
４２  中間流出配管
４４  上部流出配管
５１  第１混合弁
５２  第２混合弁
１００  給湯判断部
１０１  第１混合弁制御部（制御手段）
１０２  第２混合弁制御部（制御手段）
１０３  中間混合判断部（判断手段）
Ａ  カラン（給湯端末）
Ｂ  シャワー（給湯端末）
Ｃ  風呂
【図１】
2011158160.tif 000003
【図２】
2011158160.tif 000004
【図３】
2011158160.tif 000005
【図４】
2011158160.tif 000006
【図５】
2011158160.tif 000007
【図６】
2011158160.tif 000008
【図７】
2011158160.tif 000009
【図８】
2011158160.tif 000010
【図９】
2011158160.tif 000011